(57)【要約】      （修正有）【課題】低い製作コスト及び短い製作時間で、紙シートごとに異なる画像情報が印刷された粘着メモパッドを製造することができるシステムを提供する。【解決手段】複数の利用者端末と接続される粘着メモパッド製造システムであって、利用者端末と本システムとの接続を提供するための接続サーバーと、情報提供サーバーと、受注処理サーバーと、製造指示・記録サーバーと、利用者に提供する情報を予め格納する版下作成プログラムデータベース、フォントデータベース及び版下部品データベースと、利用者の発注情報を格納する版下原稿データベース及び受注・製造データベースと、前記発注情報に基づき粘着メモパッド原料に印刷を施し、粘着メモパッド製品を製造する粘着メモパッド製造手段を含み、前記版下作成プログラムデータベースは利用者端末側で版下原稿を自由にデザインし、そして発注することを可能にする手段を含む粘着メモパッド製造システム。【選択図】図１
2006003989.tif 000002
【特許請求の範囲】
【請求項１】
複数の利用者端末と接続される粘着メモパッド製造システムであって、
複数の利用者端末と本システムとの接続を提供するための接続サーバーと、
利用者端末の要求に基づき情報を提供する情報提供サーバーと、
利用者端末からの発注を処理する受注処理サーバーと、
製造開始を指示し、製造記録を送信する製造指示・記録サーバーと、
利用者に提供する情報を予め格納する版下作成プログラムデータベース、フォントデータベース及び版下部品データベースと、
利用者の発注情報を格納する版下原稿データベース及び受注・製造データベースと、
前記発注情報に基づき粘着メモパッド原料に印刷を施し、粘着メモパッド製品を製造する粘着メモパッド製造手段を含み、
前記版下作成プログラムデータベースは利用者端末側で版下原稿を自由にデザインし、デザイン結果を確認し、そして発注することを可能にする手段を含む、粘着メモパッド製造システム。
【請求項２】
前記情報提供サーバーは、利用者端末からの要求を受けると、版下作成プログラムデータベースから版下作成プログラム、フォントデータベースからフォントデータ及び版下部品データベースから版下部品データを取り出し、利用者端末に送付するようになっており、受注処理サーバーは、利用者端末からの発注情報を受けると、その情報を受注・製造処理データベースに記録・保存し、かつ、利用者端末上で設計された版下原稿の送付を受けると、版下原稿データベースに記録・保存するようになっており、製造指示・記録サーバーは、受注・処理データベース中に保存されている情報が製造可能要件を満たしていることを確認すると、版下原稿データベース中に保存されている版下原稿を製造指示とともに粘着メモパッド製造手段に向けて送付するようになっている、請求項１記載の粘着メモパッド製造システム。
【請求項３】
前記システムは製造者端末をさらに含み、前記版下原稿及び製造指示は製造者端末で受信し、その後に、粘着メモパッド製造手段に送られ、製造が完了すると、製造者端末が製品製造完了の情報を製造指示・記録サーバーに送信し、このサーバーは受注・製造処理データベースに製品製造完了の情報を記録・保存する、請求項２記載の粘着メモパッド製造システム。
【請求項４】
前記システムは入金処理サーバーをさらに含み、前記入金処理サーバーは利用者の代金払込情報を受け又は与信チェックを行なうことで、支払済又は支払い可能状態であることを確認すると、その情報を受注・製造処理データベースに記録・保存するようになっており、かつ、前記支払済又は支払い可能状態が製造可能要件の１つである、請求項２記載の粘着メモパッド製造システム。
【請求項５】
前記システムは製品の出荷を指示し、出荷記録を送信する出荷指示・記録サーバー及び出荷員端末をさらに含み、受注・製造処理データベース中に保存されている情報で製造完了であることを確認すると、出荷指示・記録サーバーは製品の出荷の指示を出荷員端末に送付し、かつ、出荷記録を受注・製造データベースに記録・保存するようになっている、請求項１〜４のいずれか１項記載の粘着メモパッド製造システム。
【請求項６】
前記システムは利用者端末から版下部品のアップロードを受け付けるようになっており、アップロードされた版下部品は、版下部品データベースに記録・保存されるようになっており、その版下部品は、版下原稿作成時に利用可能になっている、請求項１〜５のいずれか１項記載の粘着メモパッド製造システム。
【発明の詳細な説明】
【技術分野】
【０００１】
本発明は、粘着メモパッド製造システムに関する。
【背景技術】
【０００２】
従来から、ポストイット（商標）に代表されるような、現在市販されている粘着メモパッドの多くは無地の紙シートを積層して構成されている。粘着メモパッドは、例えば、特許文献１及び２に開示されるような装置によって製造することができる。
【０００３】
一方、一般的な印刷機により紙シートに製品名などの情報を印刷した粘着メモパッドも知られており、このような粘着メモパッドは販売促進などを目的とした宣伝広告用の商品に用いられている。粘着メモパッドの紙シートごとに異なる情報を印刷することができれば、粘着パッドに新たな可能性を見出すことができるかもしれない。しかし、一般的な印刷機は各々の紙シートにそれぞれ異なる情報を印刷するのには不向きである。最近では、デジタル印刷機の出現により、複数種の画像情報を容易に印刷することができるようになってきた。
【０００４】
ところが、デジタル印刷機を用いて印刷を行なうとしても、各画像情報それぞれについての版下原稿が必要である。デジタル印刷機のための版下原稿は、通常、版下原稿作成用専用ソフト及び原稿に利用するフォント（文字の形体）をコンピュータに設置し、それらを基に作成される。このような煩雑さを回避しそして適正なコストを維持するために、版下原稿は発注者側の依頼に基づいて専門業者側で作成されているのが一般的である。しかし、発注者側が考えている画像と、作成されてきた版下原稿の画像とが異なることが多く、そのため、何度となく原稿の確認及び校正の手順を繰り返した後に、印刷発注がなされることになる。このため、紙シートごとに異なる画像情報を印刷した粘着メモパッドを製造しようとするときに、多大な時間を要することになる。
【０００５】
【特許文献１】特表平８−５０６９９０号公報
【特許文献２】特表２０００−５０５３５０号公報
【発明の開示】
【発明が解決しようとする課題】
【０００６】
そこで、本発明は、低い製作コスト及び短い製作時間で、紙シートごとに異なる複数の画像情報が印刷された粘着メモパッドを製造することができる粘着メモパッド製造システムを提供することを目的とする。
【課題を解決するための手段】
【０００７】
本発明によると、複数の利用者端末と接続される粘着メモパッド製造システムであって、複数の利用者端末と本システムとの接続を提供するための接続サーバーと、利用者端末の要求に基づき情報を提供する情報提供サーバーと、利用者端末からの発注を処理する受注処理サーバーと、製造開始を指示し、製造記録を送信する製造指示・記録サーバーと、
利用者に提供する情報を予め格納する版下作成プログラムデータベース、フォントデータベース及び版下部品データベースと、利用者の発注情報を格納する版下原稿データベース及び受注・製造データベースと、前記発注情報に基づき粘着メモパッド原料に印刷を施し、粘着メモパッド製品を製造する粘着メモパッド製造手段を含み、
前記版下作成プログラムデータベースは利用者端末側で版下原稿を自由にデザインし、デザイン結果を確認し、そして発注することを可能にする手段を含む、粘着メモパッド製造システムが提供される。
【発明の効果】
【０００８】
このようなシステムでは、利用者端末において、発注者側が版下原稿をデザインし、その場でデザイン結果を確認しそして発注することができるので、原稿の確認及び校正の繰り返しの手順がなくなり、粘着メモパッドの製作時間を短縮できる。また、本システムでは、利用者端末のコンピュータに版下原稿作成用専用ソフト及び原稿に利用するフォント（文字の形体）がインストールされていなくても、利用者端末の要求に基づいて、利用者端末で画像をデザインしそして発注することができるので、低コストで粘着メモパッドを製造することが可能になる。
【発明を実施するための最良の形態】
【０００９】
以下において、本発明の粘着メモパッド製造システムについて、好適な実施形態を用いて説明する。以下の説明は実施形態の単なる例示であり、本発明はその記載に限定されない。
【００１０】
上記の粘着メモパッド製造システムでは、一般に、情報提供サーバーは利用者端末からの要求を受けると、版下作成プログラムデータベースから版下作成プログラム、フォントデータベースからフォントデータ及び版下部品データベースから版下部品データを取り出し、利用者端末に送付するようになっており、受注処理サーバーは、利用者端末からの発注情報を受けると、その情報を受注・製造処理データベースに記録・保存し、かつ、利用者端末上で設計された版下原稿の送付を受けると、版下原稿データベースに記録・保存するようになっており、製造指示・記録サーバーは、受注・処理データベース中に保存されている情報が製造可能要件を満たしていることを確認すると、版下原稿データベース中に保存されている版下原稿を製造指示とともに粘着メモパッド製造機械（手段）に向けて送付するようになっている。
【００１１】
本発明のシステムは好ましくは製造者端末をさらに含み、版下原稿及び製造指示は製造者端末で受信し、その後に、粘着メモパッド製造機械に送られ、製造が完了すると、製造者端末が製品製造完了の情報を製造指示・記録サーバーに送信し、このサーバーは受注・製造処理データベースに製品製造完了の情報を記録・保存する。製造者端末は端末作業員が操作し、版下原稿及び製造指示を作業員の操作で行なうことができる。或いは、物理的に製造者端末は存在しなくてもよい。この場合には、版下原稿及び製造指示を粘着メモパッド製造機械が直接的に受けて自動的に製造し、そして製品製造完了の情報を製造指示・記録サーバーに送付することができ、作業員のコストを削減することができる。
【００１２】
本発明のシステムは好ましくは入金処理サーバーをさらに含み、入金処理サーバーは利用者の代金払込情報を受け又は与信チェックを行なうことで、支払済又は支払い可能状態であることを確認すると、その情報を受注・製造処理データベースに記録・保存するようになっており、かつ、支払済又は支払い可能状態が製造可能要件の１つである。このようにすることで、支払い事実などを確認した後に製造を行なうことになるので未収金の問題を回避することができる。また、本システム上で料金支払い確認を自動的に行なうことができるので、支払いを受けるとすぐに製造を開始することができ、納期を短縮することができる。
【００１３】
本発明のシステムは好ましくは、製品の出荷を指示し、出荷記録を送信する出荷指示・記録サーバー及び出荷員端末をさらに含み、受注・製造処理データベース中に保存されている情報で製造完了であることを確認すると、出荷指示・記録サーバーは製品の出荷の指示を出荷員端末に送付し、かつ、出荷記録を受注・製造データベースに記録・保存するようになっている。このような構成することで、受注、製造、さらには出荷までの一連の流れを本システムで管理することができる。
【００１４】
図１は本発明の粘着メモパッド製造システムの一態様の概略図を示している。本発明の粘着メモパッド製造システム１は、インターネットなどの通信手段によって接続サーバー３を介して複数の利用者端末２と接続されるようになっている。利用者端末２が本システム１の使用を要求すると、情報提供サーバー４は版下作成プログラムデータベース６中に含まれる版下原稿作成プログラムを引用し、利用者端末２に返送する。
【００１５】
返送された版下原稿作成プログラムを用いて、利用者端末２において、粘着メモパッドの発注者（利用者）が版下原稿を作成する。利用者端末２からの要求に基づいて、版下部品データベース８中の図柄などの画像情報及びフォントデータベース７中の文字サイズ、フォント、色、形体などを利用者端末２のスクリーン上に表示することで、利用者は版下原稿を作成する。利用者は作成された複数の版下原稿とともに、粘着メモパッドの製造数量、料金の支払い方法、配送場所、配送方法などの発注情報を粘着パッド製造システム１に送付する。受注処理サーバー５は送付された情報のうち、複数の版下原稿を版下原稿データベース１０に記録し、粘着メモパッドの製造数量、料金の支払い方法、配送場所、配送方法などの受注情報を受注・製造データベース９に記録・保存する。このとき、この受注に特有の受注特定番号などの受注ＩＤも同時に記録される。なお、受注処理サーバー５は好ましくは受注内容を確認するためのメールを利用者の端末に送信する機能をも有する。
好ましくは、情報提供サーバー４は、利用者端末２から版下部品のアップロードを受け付けるようになっており、アップロードされた版下部品を版下部品データベース８に記録・保存する。記録された版下部品は、版下原稿作成時に利用可能になっている。
【００１６】
システム１は、図１の点線で示しているように、好ましくは、入金処理サーバー１４を備えている。入金処理サーバーは銀行などの金融機関又はコンビニエンストアなどの決済代行拠点から支払いの確認、クレジットカード会社の与信チェックなどを行ない、支払済又は支払い可能状態の情報を受注・製造データベース９に記録・保存する。なお、本発明のシステムは上記の金融機関や決済代行拠点やクレジットカード会社とオンラインで接続されており、かかる情報を即座に確認できるようになっている。
【００１７】
製造指示・記録サーバー１１は受注・製造データベース９の内容を読み取り、粘着メモパッドの製造数量、配送場所、配送方法及び料金の支払いの確認などの情報が不足なく登録されていること（製造可能要件）を確認すると、版下原稿データベース１０から受注ＩＤに対応する版下原稿を取り出し、製造員端末１２に送付し、製造指示を行なう。版下原稿は製造員端末１２から粘着メモパッド製造機械１３に送られ、機械１３は粘着メモパッド原料に印刷を施し、粘着メモパッド製品を製造する。製造端末作業員が製造完了を確認すると製造員端末１２から製造指示・記録サーバー１１に、受注ＩＤとともに製造完了報告を送付し、サーバー１１は製造完了記録を受注・製造データベース９に記録・保存する。
なお、上記と織り、製造員端末１２は物理的に存在しなくてもよく、製造指示及び版下原稿が機械１３に直接送られ、版下原稿の受信と同時に機械１３が粘着メモパッドの製造を開始するようになっていてもよい。この場合、製造完了後に、機械１３は製造完了記録をサーバー１１に送付し、サーバー１１はそれを受注・製造データベース９に記録・保存する。
一方、製造された粘着メモパッド製品は受注ＩＤを付して保管される。
【００１８】
本発明のシステム１は好ましくは出荷指示・記録サーバー１５を含む。出荷指示・記録サーバー１５は受注・製造データベース９中の製造完了記録を確認すると、対応する受注ＩＤ及び配送場所、配送方法などの情報とともに、出荷員端末１６に出荷指示が送付される。受注ＩＤに基づいて粘着メモパッド製品を特定し、指定された配送方法で指定された配送場所へ製品を出荷する。出荷が終わると、出荷員端末１６から出荷完了記録をサーバー１５に送付し、サーバー１５はその情報を受注・製造データベース９に記録・保存する。
上記の一連の作業に対応する受注・製造データベースを図２に例示する。
【００１９】
次に、版下原稿作成についてさらに詳細に説明する。上記のとおり、版下原稿作成プログラムは利用者端末２上で実行される。利用者端末２のスクリーン上にはデザイン確認エリア、版下部品表示・選択エリア、文字入力エリア、文字選択・表示エリアなどが表示される。まず、利用者端末２のスクリーンの版下部品表示・選択エリアにおいて、特定の図柄などの画像情報を要求すると、版下部品データベース８から画像情報を取り出し、版下部品表示・選択エリア画面上に表示する。そこで所望の画像データを選択し、デザイン確認エリアの所望の場所に貼り付ける。次に、文字入力エリアにおいて文字の入力を行い、さらに、文字選択・表示エリアにおいて、文字サイズ、フォント、色、形体などを選択すると、フォントデータベース７からフォントなどの情報を取り出し、文字選択・表示エリアに表示する。そこで表示された文字をデザイン確認エリアの所望の場所に貼り付ける。このようにして、利用者端末２のスクリーン上のデザイン確認エリアには、第一の版下原稿の形成される。同様に、複数の版下原稿が製造される。製造された版下原稿は上記のとおりに版下原稿データベース１０に保存される。得られる版下原稿データベースを図３に例示する。
さらに、版下原稿作成時において、利用者が作成した版下部品を利用する場合を説明する。版下原稿作成プログラムは利用者端末２上で実行される。利用者端末２のスクリーンには利用者端末２のファイルを指定するエリアが設けられており、そのエリアに利用者端末２の版下部品ファイルを指定すると情報提供サーバー４に向けそれをアップロードする。情報提供サーバー４はそれを版下部品データベース８に記録・保存する。記録された版下部品は予め版下部品データベース８に記録・保存されたものと同様に版下原稿作成時に利用できる。
【００２０】
次に、粘着メモパッド製造装置についてさらに説明する。図４は本発明で使用することができる粘着メモパッド製造機械の略断面図を示す。粘着メモパッド製造機械１３としては、一般的な粘着メモパッド製造機械に、一般的なデジタル印刷機を組み合わせることで構成できる。一例において、このような製造機械１３は給紙ユニット２１と、印刷ユニット２２と、シートカット積層ユニット２３を含む。給紙ユニット２１には粘着メモパッド原反２４が配置されている。粘着メモパッド原反２４は所定の位置に粘着剤が塗布された状態になっていても、或いは、印刷作業の後に粘着剤が塗布されてもよい。原反２４は、下流の搬送駆動力によりローラ２５を介して巻出され、ローラ２６を通して印刷ユニット２２に導入される。次に、印刷ユニット２２において、導入された紙が各色のインクを含んだ印刷ローラ（２７，２８，２９，３０）を通って印刷され、熱定着部３１で定着されてローラ３２を通して出てくる。でてきた印刷済みのシートはシートカット積層ユニット２３に導入され、カッター３３で適切な長さに切断されて、複数のシートとなって、コンベア３４上を輸送されて、積層部３５で積層され、さらに必要に応じてギロチンなどで裁断することで、粘着メモパッド製品が完成する。
なお、デジタル印刷機としては、例えば、ザイコン  ジャパン社から入手可能なザイコンクロマプレス５００ｉなどを用いることができる。また、粘着メモパッド原反２４を用いるかわりに、特表平８−５１８６２６号公報などに開示されるように、シート紙を原料とする粘着メモパッドの製造装置を用いることも可能である。この場合にも、粘着剤の塗布をデジタル印刷の前に行なっても、又は、印刷の後に行なってもよい。
【００２１】
以上のような本発明のシステムによると、種々の粘着メモパッドを製造することができる。例えば、図５に示すように、文字列として連続する日付を配し、それぞれ異なる図柄を配することで、日めくりカレンダー機能を有した粘着メモパッドを製造することができる。また、図６に示すように、一連の動きに対応するように少しずつ変化した図柄を配することで、ペラペラめくるとアニメーション機能を発揮することができる粘着メモパッドを製造することができる。
【００２２】
なお、本発明のシステムにおいて、各サーバーは物理的、論理的に別々のサーバーとして配備してもよいし、１つのサーバー上で稼動するプログラムとして実現してもよい。
さらに、各データベースは各々別々のデータベースとして配備してもよいし、１つのデータベースとして実現してもよい。
【図面の簡単な説明】
【００２３】
【図１】粘着メモパッド製造システムの一態様の概略図を示す。
【図２】受注・製造データベースを示す。
【図３】版下原稿データベースを示す。
【図４】粘着メモパッド製造機械の略断面図を示す。
【図５】日めくりカレンダー機能を有する粘着メモパッドの略図を示す。
【図６】アニメーション機能を発揮することができる粘着メモパッドの略図を示す。
【符号の説明】
【００２４】
１…粘着メモパッド製造システム
２…利用者端末
３…接続サーバー
４…情報提供サーバー
５…受注処理サーバー
６…版下作成プログラムデータベース
７…フォントデータベース
８…版下部品データベース
９…受注・製造データベース
１０…版下原稿データベース
１１…製造指示・記録サーバー
１２…作業員端末
１３…粘着メモパッド製造機械
１４…入金処理サーバー
１５…出荷指示・記録サーバー
１６…出荷員端末
【図１】
2006003989.tif 000003
【図２】
2006003989.tif 000004
【図３】
2006003989.tif 000005
【図４】
2006003989.tif 000006
【図５】
2006003989.tif 000007
【図６】
2006003989.tif 000008